(57)【特許請求の範囲】
【請求項１】
ユーザに対して提示される提示データを選択する提示データ選択装置において、
１又は複数の前記提示データを選択するための選択情報に対して曖昧性を有する曖昧情報が付加された曖昧選択情報であって、ユーザから入力手段を通じて入力された前記曖昧選択情報を取得する選択情報取得手段と、
１の前記選択情報に対して互いに異なる複数の前記曖昧情報が夫々付加された複数の前記曖昧選択情報と、夫々の前記曖昧選択情報に対応付けられ且つ選択される複数の提示データのうち前記選択情報に合致する提示データの占める割合を前記曖昧情報に応じて規定する選択条件と、が設定されたテーブルを記憶する記憶手段と、
予め設定されたデータ数の前記提示データを選択するとともに、当該選択の際に前記テーブルを参照して、前記データ数のうち前記取得された曖昧選択情報に対応する前記選択条件が規定する割合に応じたデータ数分前記選択情報に合致する前記提示データを選択する提示データ選択手段と、
を備えることを特徴とする提示データ選択装置。
【請求項２】
請求項１に記載の提示データ選択装置において、
前記選択条件の変更を示す変更情報であって、ユーザから入力手段を通じて入力された前記変更情報を取得する変更情報取得手段と、
前記取得された変更情報に基づいて、前記テーブルに設定された前記選択条件を変更する選択条件変更手段と、を更に備えることを特徴とする提示データ選択装置。
【請求項３】
請求項１に記載の提示データ選択装置において、
前記提示データが選択された場合に、前記取得された曖昧選択情報を含む報知情報をユーザに対して報知する報知手段と、
当該提示データ選択装置の学習が十分であるか否かを判別する学習判別手段と、
を更に備え、
前記報知手段は、前記学習判別手段により学習が十分でないと判別された場合には、前記取得された曖昧選択情報に含まれる前記曖昧情報とは異なる曖昧情報が前記選択情報に対して付加された曖昧選択情報を含む報知情報を前記ユーザに対して報知することを特徴とする提示データ選択装置。
【請求項４】
請求項３に記載の提示データ選択装置において、
前記学習判別手段は、前記選択条件が予め設定された期間以上変更されなかった場合に、前記学習が十分であると判別することを特徴とする提示データ選択装置。
【請求項５】
ユーザに対して提示される提示データを選択する提示データ選択方法において、
１又は複数の前記提示データを選択するための選択情報に対して曖昧性を有する曖昧情報が付加された曖昧選択情報であって、ユーザから入力手段を通じて入力された前記曖昧選択情報を取得する工程と、
予め設定されたデータ数の前記提示データを選択するとともに、当該選択の際に、記憶手段により記憶されたテーブルであって、１の前記選択情報に対して互いに異なる複数の前記曖昧情報が夫々付加された複数の前記曖昧選択情報と、夫々の前記曖昧選択情報に対応付けられ且つ選択される複数の提示データのうち前記選択情報に合致する提示データの占める割合を前記曖昧情報に応じて規定する選択条件と、が設定されたテーブルを参照して、前記データ数のうち前記取得された曖昧選択情報に対応する前記選択条件が規定する割合に応じたデータ数分前記選択情報に合致する前記提示データを選択する工程と、
を含むことを特徴とする提示データ選択方法。
【請求項６】
ユーザに対して提示される提示データを選択するコンピュータを、
１又は複数の前記提示データを選択するための選択情報に対して曖昧性を有する曖昧情報が付加された曖昧選択情報であって、ユーザから入力手段を通じて入力された前記曖昧選択情報を取得し、
予め設定されたデータ数の前記提示データを選択するとともに、当該選択の際に、記憶手段により記憶されたテーブルであって、１の前記選択情報に対して互いに異なる複数の前記曖昧情報が夫々付加された複数の前記曖昧選択情報と、夫々の前記曖昧選択情報に対応付けられ且つ選択される複数の提示データのうち前記選択情報に合致する提示データの占める割合を前記曖昧情報に応じて規定する選択条件と、が設定されたテーブルを参照して、前記データ数のうち前記取得された曖昧選択情報に対応する前記選択条件が規定する割合に応じたデータ数分前記選択情報に合致する前記提示データを選択するように機能させることを特徴とする提示データ選択処理プログラム。
【請求項７】
請求項６に記載の提示データ選択処理プログラムがコンピュータ読み取り可能に記録されていることを特徴とする記録媒体。
【発明の詳細な説明】
【技術分野】
【０００１】
本発明は、ユーザに対して提示される提示データを選択する装置及び方法等の技術分野に関する。
【背景技術】
【０００２】
近年、ＨＤ（Hard Disc）等の記録媒体の大容量化や、ＭＰ（MPEG Audio Layer）３、ＡＴＲＡＣ（Adaptive TRansform Acoustic Coding）３等のデータ圧縮技術の進展により、ユーザが、例えばオーディオ機器やパーソナルコンピュータ等を使用して、例えば、多くのＣＤ (Compact Disc)や、ＭＤ(Mini Disc)、ＤＶＤ(Digital Versatile Disc）等に記録された楽曲データを、一つのＨＤ等に記録して再生することが可能になっている。更に、最近では、インターネット上における配信サーバから楽曲データをダウンロードして上記ＨＤ等に記録して再生することが可能になった。
【０００３】
このように記録された多くの楽曲データのうちから、再生すべき楽曲データの選択（選曲）に当たって、例えば、ＨＤに記録されている楽曲データに関する情報（例えば、楽曲のタイトル）を表示画面に表示させ、その中からユーザが所望の楽曲を選択することが一般的であるが、近年では、音声認識技術を用いてユーザが発話した音声（例えば、楽曲のタイトル）を認識することによって楽曲データを選択することが可能になっている。
【０００４】
例えば、特許文献１に開示された楽曲検索装置には、データの手入力を行わなくても、楽曲の検索を行うことができるようになっている。
【特許文献１】
特開平１０−９１１７６号公報
【発明の開示】
【発明が解決しようとする課題】
【０００５】
ところで、このように非常に多くの楽曲データを記録できるようになってくると、楽曲データをそのジャンル（例えば、ロック、ジャズ等）毎、或いは、その曲調（例えば、明るい曲、悲しい曲等）毎などに分類し、そのジャンル等を指定することによって楽曲データを選択することも考えられる。
［０００６］
しかしながら、例えば同じ明るい曲であっても、そのときのユーザの気分によってその度合いは変わるという曖昧なものであり、また、ユーザ毎に、明るいと感じるレベルや範囲も異なるものである。
［０００７］
そこで、このような問題の解消を一つの課題とし、ユーザの曖味さを考慮しつつ楽曲データ等の提示データの的確な選択を行うことが可能な提示データ選択装置及び提示データ選択方法等を提供することを目的する。
［発明が解決しようとする課題］
［０００８］
上記課題を解決するため、本願の一つの観点では、ユーザに対して提示される提示データを選択する提示データ選択装置において、１又は複数の前記提示データを選択するための選択情報に対して曖昧性を有する曖昧情報が付加された曖昧選択情報であって、ユーザから入力手段を通じて入力された前記曖昧選択情報を取得する選択情報取得手段と、１の前記選択情報に対して互いに異なる複数の前記曖昧情報が夫々付加された複数の前記曖昧選択情報と、夫々の前記曖昧選択情報に対応付けられ且つ選択される複数の提示データのうち前記選択情報に合致する提示データの占める割合を前記曖味情報に応じて規定する選択条件と、が設定されたテーブルを記憶する記憶手段と、予め設定されたデータ数の前記提示データを選択するとともに、当該選択の際に前記テーブルを参照して、前記データ数のうち前記取得された曖昧選択情報に対応する前記選択条件が規定する割合に応じたデータ数分前記選択情報に合致する前記提示データを選択する提示データ選択手段と、を備えることを特徴とする。
［０００９］
［００１０］
また、前記選択条件の変更を示す変更情報であって、ユーザから入力手段を通じて入力された前記変更情報を取得する変更情報取得手段と、前記取得された変更情報に基づいて、前記テーブルに設定された前記選択条件を変更する選択条件変更手段と、を更に備えることを特徴とする。
［００１１］
［００１２］
［００１３］
また、前記提示データが選択された場合に、前記取得された曖昧選択情報を含む報知情報をユーザに対して報知する報知手段と、当該提示データ選択装置の学習が十分であるか否かを判別する学習判別手段と、を更に備え、前記報知手段は、前記学習判別手段により学習が十分でないと判別された場合には、前記取得された曖昧選択情報に含まれる前記曖昧情報とは異なる曖昧情報が前記選択情報に対して付加された曖昧選択情報を含む報知情報を前記ユーザに対して報知することを特徴とする。
【００１４】
また、前記学習判別手段は、前記選択条件が予め設定された期間以上変更されなかった場合に、前記学習が十分であると判別することを特徴とする。
【００１６】
また、前記選択条件の変更を示す変更情報であって、ユーザから入力手段を通じて入力された前記変更情報を取得する変更情報取得手段と、前記取得された変更情報に基づいて、前記選択条件を変更する選択条件変更手段と、を更に備え、前記学習判別手段は、前記選択条件が予め設定された期間以上変更されなかった場合に、前記学習が十分であると判別することを特徴とする。
【００１７】
上記課題を解決するため、本願の更に他の観点では、ユーザに対して提示される提示データを選択する提示データ選択方法において、１又は複数の前記提示データを選択するための選択情報に対して曖昧性を有する曖昧情報が付加された曖昧選択情報であって、ユーザから入力手段を通じて入力された前記曖昧選択情報を取得する工程と、予め設定されたデータ数の前記提示データを選択するとともに、当該選択の際に、記憶手段により記憶されたテーブルであって、１の前記選択情報に対して互いに異なる複数の前記曖昧情報が夫々付加された複数の前記曖昧選択情報と、夫々の前記曖昧選択情報に対応付けられ且つ選択される複数の提示データのうち前記選択情報に合致する提示データの占める割合を前記曖昧情報に応じて規定する選択条件と、が設定されたテーブルを参照して、前記データ数のうち前記取得された曖昧選択情報に対応する前記選択条件が規定する割合に応じたデータ数分前記選択情報に合致する前記提示データを選択する工程と、を備えることを特徴とする。
［００１９］
上記課題を解決するため、本願の更に他の観点では、ユーザに対して提示される提示データを選択するコンピュータを、１又は複数の前記提示データを選択するための選択情報に対して曖昧性を有する曖昧情報が付加された曖昧選択情報であって、ユーザから入力手段を通じて入力された前記曖昧選択情報を取得し、予め設定されたデータ数の前記提示データを選択するとともに、当該選択の際に、記憶手段により記憶されたテーブルであって、１の前記選択情報に対して互いに異なる複数の前記曖昧情報が夫々付加された複数の前記曖昧選択情報と、夫々の前記曖昧選択情報に対応付けられ且つ選択される複数の提示データのうち前記選択情報に合致する提示データの占める割合を前記曖昧情報に応じて規定する選択条件と、が設定されたテーブルを参照して、前記データ数のうち前記取得された曖昧選択情報に対応する前記選択条件が規定する割合に応じたデータ数分前記選択情報に合致する前記提示データを選択するように機能させることを特徴とする。
［００２１］
上記課題を解決するため、本願の更に他の観点では、前記提示データ選択処理プログラムがコンピュータ読み取り可能に記録されていることを特徴とする。
【図面の簡単な説明】
【００２２】
【図１】本実施形態における情報再生記録装置の概要ブロック例を示す図である。
【図２】曖昧情報を考慮した場合における条件対応付けテーブルの一例を示す図である。
【図３】情報再生記録装置１のシステム制御部１９における処理を示すフローチャートである。
【図４】曲調対応付けテーブルの一例を示す図である。
【図５】条件対応付けテーブルにおける選択条件が変更される一例を示す図である。
【符号の説明】
【００２３】
１  情報再生記録装置
２  情報配信サーバ
３  ネットワーク
１１  情報再生部
１２  情報出力部
１３  楽曲特徴量抽出部
１４  情報記録再生部
１５  操作・表示部
１６  マイクロフォン
１７  音声認識部
１８  通信部
１９  システム制御部
【発明を実施するための最良の形態】
【００２４】
以下、本願の最良の実施形態を添付図面に基づいて説明する。なお、以下に説明する実施の形態は、情報再生記録装置に対して本願を適用した場合の実施形態である。
【００２５】
先ず、図１を参照して、本実施形態における情報再生記録装置の構成及び機能を説明する。図１は、本実施形態における情報再生記録装置の概要ブロック例を示す図である。
【００２６】
図１に示すように、情報再生記録装置１は、情報再生部１１、情報出力部１２、楽曲特徴量抽出部１３、情報記録再生部１４、操作・表示部１５、マイクロフォン１６、音声認識部１７、ネットワーク３を介して情報配信サーバ２との間でデータ通信を行うための通信部１８、及びシステム制御部１９を備えて構成されている。
【００２７】
情報再生部１１は、システム制御部１９の制御下、ＣＤ（Compact Disc：ＣＤ−ＤＡ（Digital Audio）、ＣＤ−Ｒ、ＣＤ−Ｒ／Ｗ等の総称）、ＭＤ（Mini Disc）、ＤＶＤ（Digital Versatile Disc：ＤＶＤ−Audio、ＤＶＤ−Video、ＤＶＤ−Ｒ、ＤＶＤ−ＲＷ等の総称）、又はカード型記録媒体（例えば、メモリースティックやＳＤカード等）等の記録媒体（記録手段）に記録された楽曲データ（本願の提示データの一例）を再生し、当該楽曲データを情報出力部１２、楽曲特徴量抽出部１３、及び情報記録再生部１４に出力するようになっている。
【００２８】
例えば、情報再生部１１がＣＤ（例えば、ＣＤ−ＤＡ）に記録された楽曲データを再生するものである場合、当該情報再生部１１は、図示しないが、当該ＣＤに光ビームを照射して記録情報を光学的に読み取り電気信号に光電変換し出力する光ピックアップ、当該光ピックアップから出力された電気信号からＲＦ（Radio Frequency）信号等を生成して出力するＲＦアンプ、当該ＲＦ信号に所定の復調処理及び誤り訂正処理等を行いデジタル信号に変換して楽曲データを再生するデジタル信号処理回路（例えばＤＳＰ（Digital Signal Processor）等により構成）及び、スピンドルモータ及び光ピックアップをサーボ制御するサーボ回路等を備え、当該楽曲データの再生、出力を行う。
【００２９】
また、情報再生部１１は、記録媒体に楽曲データに付随する付随情報（例えば、楽曲のタイトル、ジャンル（例えば、ロック、ジャズ、ポップス、クラッシック、ヒップホップ等）などのテキスト情報）、アーティスト名等）が記録されている場合には、情報再生部１１は、システム制御部１９の制御下、当該付随情報を記録媒体から読み出し、情報記録再生部１４に出力するようになっている。
【００３０】
なお、ＣＤ以外の記録媒体から楽曲データを再生するための構成及び機能については公知の技術であるので、詳しい説明は省略する。また、マルチメディアプレーヤのように、複数の記録媒体から楽曲データを再生するように構成してもよい。
【００３１】
情報出力部１２は、図示しないが、情報再生部１１により再生出力された楽曲データ（デジタル音声信号）を入力し、これをアナログ音声信号に変換するＤＡＣ（Digital-to-Analog Converter）、当該アナログ音声信号を増幅して出力するＡＭＰ（Amplifier）、及び増幅されたアナログ音声信号を音波として出力するスピーカ等を備えており、楽曲をスピーカから出力するようになっている。
【００３２】
楽曲特徴量抽出部１３は、例えばＤＳＰ等により構成されており、情報再生部１１により再生出力された楽曲データを入力し、当該楽曲データから当該楽曲データの特徴を示す楽曲特徴量を抽出し、情報記録再生部１４及びシステム制御部１９に出力するようになっている。
【００３３】
ここで、楽曲特徴量とは、その楽曲の特徴を定量的に示す情報（例えば、０〜１００の間の数値等で表される）であり、これには、例えば、楽曲の楽音から得られる楽音特徴量などが含まれる。
【００３４】
楽音特徴量としては、キー（ハ長調、イ短調等の曲の調性）、キーの変化位置（又は変化パターン）、コード（和音、又は和音の組合せ）、当該コードの変化位置（又は変化パターン）、当該コードの変化量（ＣＰＭ）（又は変化率（ＨＶＬ））、ビート（拍：強弱を持った一定のパルス信号）、当該ビートの最大値（又は、最小値、平均値）、当該ビートの変化位置（又は変化パターン）、当該ビートの変化量（ＢＰＭ）（又は変化率）、楽音の最大強度や平均強度、音量、当該音量の変化位置（又は変化パターン）などが挙げられる。
【００３５】
これらの楽音特徴量の抽出には、公知の様々な方法を適用可能であるので、詳しい説明を省略するが、例えば、楽曲特徴量抽出部１３が、楽曲データを高速フーリエ変換（Fast Fourier Transform）して周波数分析を行い時間軸に沿った所定の時間間隔で周波数毎の音量値を算出してキー及びこれに関する量（キーの変化位置等）、コード及びこれに関する量（コードの変化位置や変化量等）の抽出を行ったり、所定のスレッショルドレベルにて楽曲データに係る波形のエンベロープを検出することによりビート及びこれに関する量（ビート（信号）の最大値等）の抽出を行う。
【００３６】
なお、以上の楽曲特徴量の他にも、楽曲特徴量抽出部１３が、例えば楽曲のテンポ、リズム、更には、楽曲のサビ部分の位置や回数、サビ部分のキー、ビート、コード、及びこれらに関する量を公知の方法により抽出するように構成してもよい。
【００３７】
情報記録再生部１４は、例えば、楽曲データを一時的に蓄積するバッファメモリ、楽曲データをエンコード（圧縮等）又はデコード（伸長等）するためのエンコーダ／デコーダ、ＨＤ（Hard Disc）、及びＨＤに楽曲データ等を記録又はＨＤから再生等を行うためのＨＤドライブ等を備えている。なお、情報記録再生部１４が、ＭＤ、ＤＶＤ−ＲＷ、又はカード型記録媒体等の記録媒体を備えて構成されるものであっても良い。
【００３８】
そして、情報記録再生部１４は、システム制御部１９の制御下、情報再生部１１から出力された楽曲データを例えば圧縮して、ＨＤに記録すると共に、情報再生部１１から出力された付随情報を楽曲データに関連付けて当該記録媒体に記録する。また、情報記録再生部１４は、システム制御部１９の制御下、楽曲特徴量抽出部１３から出力された楽曲特徴量を当該楽曲データに関連付けて記録するようになっている。
【００３９】
更に、情報記録再生部１４は、システム制御部１９の制御下、例えば情報配信サーバ２からネットワーク（例えば、インターネット、移動体通信網等によりからなる）３を介して配信され通信部１８を介して受信された楽曲データ及びこれに付随する付随情報を当該記録媒体に記録するようになっている。なお、情報配信サーバ２から取得される楽曲データの楽音特徴量も、例えば当該取得の際に、楽曲特徴量抽出部１３により抽出され、当該楽曲データに関連付けて記録される。
【００４０】
このように情報記録再生部１４におけるＨＤに記録される各楽曲データには、固有の登録番号（例えば、シリアル番号）が付与され、リスト管理されるようになっている。例えば、ＨＤに記録されている楽曲データの登録番号、データ容量、記録場所、演奏時間、上記付随情報、及び楽曲特徴量等の管理情報が楽曲リストに登録される。この楽曲リストのデータは、例えばＨＤに記録され、適宜、システム制御部１９により読み出され使用される。なお、当該管理情報に楽曲データの曲調（例えば、明るい曲、ノリのいい曲、静かな曲、悲しい曲、癒される曲等）が含まれるようにしても良い。
【００４１】
操作・表示部１５は、例えばタッチパネル式の表示パネル（例えば液晶パネル）を備えており、システム制御部１９の制御下、上記楽曲リストに含まれる管理情報や、ユーザが各種指示を入力するための操作ボタン等を表示するようになっている。表示パネル上に表示された操作ボタンが押されると、当該操作ボタンに対応する指示信号がシステム制御部１９に出力される。
【００４２】
マイクロフォン１６は、例えばユーザにより発話された各種指示に関する音声を検出（集音）して、その音声信号を音声認識部１７に出力するようになっている。
【００４３】
音声認識部１７は、公知の音声認識処理を行うものであり、マイクロフォン１６からの音声信号の周波数分析を行い、予め用意された発話音声候補群の中から最も適合する候補を選定することによって、上記音声信号に含まれる情報を認識し、これをシステム制御部１９に出力するようになっている。
【００４４】
システム制御部１９は、演算機能を有するＣＰＵ、作業用ＲＡＭ（記憶手段の一例）、及び各種処理プログラム（提示データ選択処理プログラムを含む）やデータを記憶するＲＯＭ等を備えている。なお、提示データ選択処理プログラムは、例えばネットワーク８に接続された所定のサーバからダウンロードされるようにしてもよいし、例えば、ＣＤ−ＲＯＭ等の記録媒体に記録されて当該記録媒体のドライブを介して読み込まれるようにしてもよい。
【００４５】
そして、ＣＰＵがＲＯＭ等に記憶されたプログラムを実行することにより、コンピュータとしてのシステム制御部１９は、情報再生記録装置１全体を統括制御するとともに、本願の選択情報取得手段、提示データ選択手段、変更情報取得手段、選択条件変更手段、報知手段、及び学習判別手段として機能するようになっている。
【００４６】
本実施形態においては、ユーザは、ＨＤに記録されている多数の楽曲データのうちから所望する１又は複数の楽曲データを選択するための選択情報を、入力手段としての操作・表示部１５、若しくはマイクロフォン１６及び音声認識部１７を通じて入力することが可能となっており、システム制御部１９は、当該入力手段を通じて入力された選択情報を選択情報取得手段として取得し、当該選択情報に応じた選択条件に基づいて、１又は複数の楽曲データを提示データ選択手段として選択するようになっている。
【００４７】
ここで、楽曲データを選択するための選択情報は、システム制御部１９が選択する楽曲データを特定するために必要な情報であり、これには、例えば、楽曲データのジャンル（例えば、ロック、ジャズ、ポップス、クラッシック、ヒップホップ等）、楽曲データの曲調（例えば、明るい曲、ノリのいい曲、静かな曲、悲しい曲、癒される曲等）、或いは、楽曲データのアーティスト名等の情報が該当する。
【００４８】
また、これらの選択情報には、夫々、選択条件が対応付けられており、例えば、「明るい曲」を示す選択情報に対応する選択条件では、明るい曲に合致する楽曲データの数（例えば、明るい曲：１０曲）を規定している。また、例えば、「ロック」を示す選択情報に対応する選択条件では、ロックに合致する楽曲データの数（例えば、ロック：１０曲）を規定している。夫々の選択情報と選択条件との対応付けは、例えばＨＤに記録された条件対応付けテーブルに規定されるようになっている。
【００４９】
また、明るい曲（又はロック）に合致する楽曲データであるか否かの判別は、上述した楽曲リストに登録された管理情報に基づいて行われる。
【００５０】
更に、本実施形態においては、ユーザは、上記選択情報に対して曖昧性を有する曖昧情報が付加された曖昧選択情報を、操作・表示部１５、若しくはマイクロフォン１６及び音声認識部１７により入力することが可能となっており、この場合、システム制御部１９は、当該入力された曖昧選択情報を選択情報取得手段として取得し、当該曖昧選択情報に応じた選択条件に基づいて、１又は複数の楽曲データを提示データ選択手段として選択することになる。
【００５１】
この曖昧情報の具体例としては、例えば、「ほぼ」、「中心に」、「ばかり」、「もっと」等の人間により使われる曖昧な表現が該当する。
【００５２】
図２は、曖昧情報を考慮した場合における条件対応付けテーブルの一例を示す図である。図２に示す例では、曖昧選択情報は、複数段階のレベルに区分されており、夫々のレベルに対応して互いに異なる選択条件が設定され、当該レベルが上がるほど（つまり、レベル１からレベル４に上がるほど）、明るい曲の占める割合が増していくように規定されている。
【００５３】
また、例えば、図２の例において、レベル１の曖昧選択情報（ほぼ明るい曲）に対応する選択条件には、「全１０曲、明るい曲の占める割合６０％」が規定されており、これは、選択される全１０曲の楽曲データのうち、曖昧選択情報に含まれる選択情報（明るい曲）に合致する楽曲データの占める割合が６０％ということである。従って、この場合、当該選択情報（例えば、明るい曲）に合致する楽曲データは６曲選択されることになり、選択情報（例えば、明るい曲）に合致しない楽曲データは４曲選択されることになる。
【００５４】
なお、全てのレベルにおける選択条件において、上記選択情報に合致する楽曲データの占める割合が、選択情報に合致しない楽曲データの占める割合よりも大きくなるように規定される。
【００５５】
以上のように選択された楽曲データは、システム制御部１９の制御の下、情報記録再生部１４から再生出力され、ユーザに提示されることになるが、楽曲データの選択がユーザの意図（感覚）と一致しない（食い違う）、例えば、ユーザが、もっと明るい曲を増やしたい（言い換えれば、選択条件に基づき選択された明るい曲の数が足らなかった）、或いは減らしたい場合が想定される。このため、ユーザは、上記選択条件の変更を示す変更情報を、操作・表示部１５若しくは音声認識部１７を通じて入力することが可能となっており、システム制御部１９は、当該入力された変更情報を変更情報取得手段として取得し、選択条件変更手段として、当該変更情報に基づいて当該選択条件を変更するようになっている。この変更情報として具体例として、例えば、「もっと明るい（又は暗い）曲」、「もっとレベルを上げる（又は下げる）」等が挙げられる。
【００５６】
なお、このように、選択条件が変更されると、例えば、当該条件対応付けテーブルに対応付けられて変更履歴（例えば、変更日時及び変更内容等）が記憶されることになる。
【００５７】
また、以上のように楽曲データが選択された場合に、システム制御部１９は、報知手段として、上記選択情報を含む報知情報又は上記曖昧選択情報を含む報知情報をユーザに対して報知するようになっている。例えば、システム制御部１９は、ユーザから入力された「明るい曲中心に」を示す曖昧選択情報に応じた選択条件に基づいて楽曲データを選択した場合、例えば「明るい曲中心に選曲しました」或いは「明るい曲中心に再生します」等の報知情報を操作・表示部１５における表示画面上に表示させたり、情報出力部１２から音声として出力したりすることによって、当該情報をユーザに対して報知する。
【００５８】
そして、報知手段としてのシステム制御部１９は、自己の学習が十分でない場合には、取得した（入力された）選択情報又は曖昧選択情報を適宜変更して報知するようになっている。例えば、「明るい曲中心に」を示す曖昧選択情報が取得された場合には、当該曖昧選択情報に含まれる曖昧情報（例えば、中心に）とは異なる曖昧情報（例えば、ほぼ）が選択情報（例えば、明るい曲）に対して付加された曖昧選択情報（例えば、ほぼ明るい曲）を含む報知情報がユーザに対して報知される。また、「明るい曲」を示す選択情報が取得された場合には、当該選択情報に対して曖昧性を有する曖昧情報（例えば、中心に）が付加された曖昧選択情報（例えば、明るい曲中心に）を含む報知情報がユーザに対して報知される。
【００５９】
なお、自己の学習が十分であるか否かの判別は、学習判別手段としてのシステム制御部１９により、例えば上記選択条件の変更頻度等に基づいて行われる。例えば、ある曖昧選択情報に対応する選択条件が予め設定された期間（例えば、１０日間）以上変更されなかった場合に、学習が十分であると判別される。
【００６０】
次に、以上のように構成された情報再生記録装置１における動作について、図３等を参照して説明する。
【００６１】
図３は、情報再生記録装置１のシステム制御部１９における処理を示すフローチャートである。
【００６２】
図３に示す処理が開始されると、システム制御部１９は、上述した楽曲リスト及び条件対応付けテーブルを情報記録再生部１４から読み込み、ユーザからの入力待ち状態となる。
【００６３】
そして、例えばユーザが曖昧選択情報として「明るい曲中心に」と発話すると、その音声がマイクロフォン１６により集音（入力）され、音声認識部１７によって当該曖昧選択情報が認識されて、その情報がシステム制御部１９に出力される。これに対し、システム制御部１９は、音声認識部１７からの「明るい曲中心に」を示す曖昧選択情報を取得すると（ステップＳ１：Ｙ）、例えばＲＡＭに記憶し、ステップＳ２に移行する。
【００６４】
なお、操作・表示部１５における表示画面上に、選択情報及び曖昧選択情報の入力候補に対応する複数の操作ボタンを表示させ、当該複数の操作ボタンのうちからユーザにより押下された例えば曖昧選択情報に対応する操作ボタンに応じた指示信号がシステム制御部１９に出力され、システム制御部１９が当該指示信号に対応する予め設定された曖昧選択情報を取得するように構成しても良い。
【００６５】
ステップＳ２では、システム制御部１９は、上記条件対応付けテーブルを参照し、上記取得した「明るい曲中心に」を示す曖昧選択情報に応じた選択条件（例えば、「全１０曲、明るい曲の占める割合７０％」）を特定し、当該選択条件に基づいて楽曲データの選択処理を行う。
【００６６】
当該選択処理においては、当該選択条件が例えば「全１０曲、明るい曲の占める割合７０％」であった場合、楽曲リストに登録されている楽曲データのうちから、例えば登録番号の新しい順（つまり、新しい楽曲データ順）に楽曲データが特定され、当該楽曲データが「明るい曲」であるか否かが一つ一つ判別され、「明るい曲」に合致する楽曲データが７曲、「明るい曲」に合致しない楽曲データが３曲、夫々選択される。
【００６７】
なお、このような選択条件は、ユーザが、例えば、操作・表示部１５を操作して任意に設定することが可能になっている。また、選択条件にて規定された曲数（例えば、１０曲）は、ユーザから入力手段を通じて曖昧選択情報と共に入力されるものであっても良い。
【００６８】
ここで、明るい曲等に合致するか否かの曲調判別について詳しく説明する。
【００６９】
この曲調判別の処理では、例えば、予め設定され記憶された、楽曲特徴量と曲調との対応付けを規定した曲調対応付けテーブルが用いられ、楽曲リストにおける上記特定された楽曲データの楽曲特徴量に基づいてシステム制御部１９により行われる。
【００７０】
図４は、曲調対応付けテーブルの一例を示す図である。図４に示す例では、曲調としては、「明るい曲」、「ノリのいい曲」、「静かな曲」、「悲しい曲」が示され、楽曲特徴量としては、「キー」、「コードの変化率（ＨＶＬ）」、「ビートの変化量（ＢＰＭ）」、「ビートの最大値」、「楽音の平均強度（平均レベル）」が示されている。
【００７１】
また、図４中、「高」、「中」、「低」は、楽曲特徴量のレベルを意味しており、例えば、「高」は、８０〜１００の数値範囲で、「中」は、３０〜７９の数値範囲で、「低」は、０〜２９の数値範囲で、夫々表される（従って、「中〜高」は、３０〜１００の数値範囲を、「低〜中」は、０〜７９の数値範囲を表す）。また、図４中、「キー」の一例として「ハ長調」若しくは「イ短調」が示されているが、これについても、夫々、例えば、ある数値範囲で表される。
【００７２】
このような曲調対応付けテーブルが参照されて曲調判別の処理が行われる場合、例えば、上記特定された楽曲データの楽曲特徴量が、「明るい曲」に対応する楽曲特徴量のレベルを満たすか（言い換えれば、図４に示す数値範囲に入るか）否かが判別され、満たす場合に当該楽曲データは、「明るい曲」に合致すると判別されることになる（他の曲調についても同様である）。
【００７３】
こうして一旦楽曲データの曲調が判別されると、判別された曲調を示す情報は、当該楽曲データに対応付けられて楽曲リストに登録されることになり、これ以降、当該楽曲データについては、曲調対応付けテーブルを参照しなくても、楽曲リストに登録された曲調を示す情報により曲調判別が可能となる。また、楽曲データのジャンル（例えば、ロック）を示す選択情報又は曖昧選択情報がユーザから入力された場合にも、楽曲リストに登録されたジャンルを示す情報を参照することによりジャンル判別が可能でなる。
【００７４】
なお、システム制御部１９は、例えば情報配信サーバ２からネットワーク３を介して楽曲データに付随する付随情報として上記曲調を示す情報を取得して楽曲リストに登録するように構成しても良い。
【００７５】
ところで、上記ステップＳ２においては、「明るい曲」に合致する楽曲データが７曲、「明るい曲」に合致しない楽曲データが３曲、夫々選択される例を説明したが、この「明るい曲」（選択情報）に合致しない楽曲データとしては、「明るい曲」に近い曲が選択されるようにしてもよいし、「明るい曲」とは全く無関係な曲（例えば、「悲しい曲」）が選択されるようにしてもよい（楽曲データのジャンルについても同様である）。
【００７６】
なお、「明るい曲」（選択情報）に近い曲であるか否かの判別は、例えば図４に示す明るい曲に対応する全ての楽曲特徴量のレベルを満たさない（数値範囲に入らない）が、一部の楽曲特徴量（例えば、ＨＶＬ、ＢＰＭ）のレベルを満たす曲であるか否かによって行われる。
【００７７】
また、例えば「ロック」（選択情報）に近い曲であるか否かは、例えば「ロック」に合致せず「ジャズ」に合致するけれども、「ロック」に合致する楽曲データの各楽曲特徴量と近い楽曲特徴量を有する（各楽曲特徴量の差が所定値以下である）楽曲データであるか否かによって判別される。
【００７８】
上記ステップＳ２で、複数の楽曲データが選択されると、システム制御部１９は、選択された楽曲データに関する情報（例えば、楽曲リストに登録された登録番号、楽曲のタイトル、ジャンル、曲調、演奏時間等）を例えばプレイリストに登録する。
【００７９】
次いで、システム制御部１９は、自己の学習が十分であるか否かを判別する（ステップＳ３）。例えば、システム制御部１９は、上記条件対応付けテーブルに対応付けられた変更履歴における変更日時を参照し、当該条件対応付けテーブルに設定された選択条件が予め設定された期間（例えば、１０日間）以上変更されなかった場合に、学習が十分であると判別する。
【００８０】
学習が十分であると判別した場合（ステップＳ３：Ｙ）、システム制御部１９は、ステップＳ１で取得した「明るい曲中心に」を示す曖昧選択情報を含む報知情報（例えば「明るい曲中心に選曲しました」）を操作・表示部１５における表示画面上に表示させたり、情報出力部１２から音声として出力したりすることによって、ユーザに対して報知する（ステップＳ４）。
【００８１】
一方、学習が十分でないと判別した場合（ステップＳ３：Ｎ）、システム制御部１９は、ステップＳ１で取得した「明るい曲中心に」を示す曖昧選択情報に含まれる曖昧情報（中心に）とは異なる曖昧情報（ほぼ）が選択情報（明るい曲）に対して付加された曖昧選択情報（ほぼ明るい曲）を含む報知情報を操作・表示部１５における表示画面上に表示させたり、情報出力部１２から音声として出力したりすることによって、ユーザに対して報知する（ステップＳ５）。
【００８２】
このように、学習が十分でない場合、ステップＳ１で取得した「明るい曲中心に」は、図２の例では、レベル２の曖昧選択情報であるが、報知情報に含まれる「ほぼ明るい曲」はレベル１の曖昧選択情報となる。つまり、学習が十分でない場合、ユーザから入力された曖昧選択情報に対応するレベルより下のレベルの曖昧選択情報を含む報知情報が報知されることになる。これにより、楽曲データの選択がユーザの意図と一致しない（食い違う）場合であっても、ユーザに対して違和感を生じさせないことが可能となる。
【００８３】
なお、仮に、ステップＳ１で「明るい曲」を示す選択情報が取得され、学習が十分でない場合、図２に示す例によれば、当該選択情報に対応するレベルより下のレベルの曖昧選択情報を示す「明るい曲中心に」を含む報知情報がユーザに対して報知されることになる。
【００８４】
次いで、システム制御部１９は、上記ステップＳ２で選択されプレイリストに登録された楽曲データの再生処理を開始する（ステップＳ６）。
【００８５】
当該再生処理においては、システム制御部１９は、情報記録再生部１４を制御し、上記プレイリストに登録された楽曲データを順次、ＨＤから再生出力させる。こうして、上記ＨＤから再生出力された楽曲データは、情報出力部１２を通じて外部に音波として出力され、ユーザは当該楽曲を聴くこととなる。
【００８６】
そして、ユーザが、例えば、もっと明るい曲を増やしたいと思った場合に、上述した変更情報として「もっと明るい曲」と発話すると、その音声がマイクロフォン１６により集音（入力）され、音声認識部１７によって当該変更情報が認識されて、その情報がシステム制御部１９に出力される。これに対し、システム制御部１９は、音声認識部１７からの「もっと明るい曲」を示す変更情報を取得すると（ステップＳ７：Ｙ）、これに基づいて上記条件対応付けテーブルにおける選択条件を変更し（ステップＳ８）、この変更履歴を対応付けテーブルに対応つけてＨＤに記録する。
【００８７】
図５は、条件対応付けテーブルにおける選択条件が変更される一例を示す図である。図５に示す例では、変更情報が「もっと明るい曲」であった場合に、曖昧選択情報（「ほぼ明るい曲」、「明るい曲中心に」）及び選択情報（「明るい曲」）に対応する選択条件における明るい曲の占める割合が増加するように変更されている。
【００８８】
これにより、例えば同じ曖昧選択情報（例えば、「明るい曲中心に」）であっても、ユーザ毎に選択条件を異ならせることが可能となり、ユーザ毎に合った選択条件を設定することができる。そして、これ以降の楽曲データの選択は、変更された選択条件に基づくことになる。
【００８９】
なお、図５に示す例では、各選択条件とも、明るい曲の占める割合が２０％増加するように変更されているが、この増加幅（変更幅）も、変更情報の内容によって規定されるようにしても良い。例えば、変更情報が「もっと明るい曲」であった場合、増加幅（変更幅）が「２０％」とし、変更情報が「もう少し明るい曲」であった場合、増加幅（変更幅）が「１０％」とするように予め設定しておくように構成する。
【００９０】
また、操作・表示部１５における表示画面上に、変更情報の入力候補に対応する複数の操作ボタンを表示させ、当該複数の操作ボタンのうちからユーザにより押下された例えば変更情報に対応する操作ボタンに応じた指示信号がシステム制御部１９に出力され、システム制御部１９が当該指示信号に対応する予め設定された変更情報を取得するように構成しても良い。
【００９１】
次いで、システム制御部１９は、上記プレイリストに登録された楽曲データの再生が全て終了したか否かを判別し（ステップＳ９）、終了していない場合には（ステップＳ９：Ｎ）、ステップＳ７に戻り、終了した場合には（ステップＳ９：Ｙ）、当該処理を終了する。
【００９２】
以上説明したように、上記実施形態によれば、互いに異なる複数の曖昧選択情報と、夫々の曖昧選択情報に対応付けられた選択条件とが設定された条件対応付けテーブルを予め用意しておき、ユーザから楽曲選択のために曖昧選択情報が入力された場合に、条件対応付けテーブルを参照して、当該曖昧選択情報に対応する選択条件に基づいて楽曲データを選択するようにしたので、そのときのユーザの気分によって楽曲データの的確な選択を行うことができる。
【００９３】
また、上記条件対応付けテーブルに設定された選択条件は、ユーザから入力された変更情報に基づき変更されるようにしたので、ユーザ毎に、例えば同じ曖昧選択情報であっても、ユーザ毎に選択条件を異ならせることが可能となり、ユーザ毎に合った選択条件を設定することができる。
【００９４】
また、学習が十分でない場合には、ユーザから入力された選択情報又は曖昧選択情報に対応するレベルより下のレベルの曖昧選択情報を含む報知情報が報知されるようにしたので、楽曲データの選択がユーザの意図と一致しない（食い違う）場合であっても、ユーザに対して違和感を生じさせないことができる。
【００９５】
なお、上記ステップＳ３において学習が十分でないと判別された場合に、複数段階の学習度合い（学習状態のレベル）によって、上記報知情報を変化させるように構成しても良い。例えば、学習が十分であるとする条件が、ある選択情報（例えば、明るい曲）に対応する選択条件が１０日間以上変更されなかったことであると仮定した場合に、当該変更されなかった期間が５日間以上１０日間未満の場合（学習の度合いが高いと判断）、当該選択情報に対応するレベルより一つ下のレベルの曖昧選択情報（例えば、明るい曲中心に）を含む報知情報が報知され、５日間未満の場合（学習の度合いが低いと判断）、当該選択情報に対応するレベルより二つ下のレベルの曖昧選択情報（例えば、ほぼ明るい曲）を含む報知情報が報知されるように構成しても良い。更に、これより多くの段階に場合分けし、各場合に対応する学習度合いに応じた報知情報を報知しても良い。
【００９６】
また、上記ステップＳ２においては、楽曲リストに登録されている楽曲データのうちから、登録番号の新しい順に楽曲データが特定される例について説明したが、これに限定されるものではなく、別の例として、ＨＤに記録された（楽曲リストに登録された）全ての楽曲データに夫々、「選択情報毎に応じた選択の優先度」を示す情報を設定できるようにしておき、当該選択の優先度（例えば、１から１０数値で表す）が高い順に楽曲データを特定して、当該楽曲データが例えば「明るい曲」であるか否かを判別するように構成しても良い（例えば、楽曲データが全１００曲ＨＤに記録されているとすると、選択の優先度が高い順に特定され上記判別が行われていき、例えば１０曲選択された時点で、選択の優先度が低い楽曲データは特定されることなく選択処理が終了する）。
【００９７】
そして、例えば、上記ステップＳ６にて「明るい曲」を示す選択情報に応じた選択条件に基づき選択された楽曲データが再生出力されているとき、ユーザが操作ボタン等の入力手段を通じて、「明るい曲」に適合しない（フィットしない）ことを示す情報を入力した場合に、当該楽曲データの「明るい曲」に対応する選択の優先度を下げ（低くし）、「明るい曲」に適合する（フィットする）ことを示す情報を入力した場合に、当該楽曲データの「明るい曲」に対応する選択の優先度を上げる（高くする）ように構成すれば、よりユーザの意図（感覚）と一致する楽曲データが選択されるようになる。
【００９８】
また、上記実施形態においては、選択条件により複数の楽曲データが選択される場合の例について説明したが、これに限定されるものではなく、１つの楽曲データが選択されるように構成しても良い。この場合、曖昧選択情報等としては、例えば、「かなり明るい曲」、「普通に明るい曲」、「明るい曲」、「少し明るい曲」、「若干明るい曲」というように、複数段階のレベルに区分され、夫々のレベルに対応して互いに異なる選択条件が設定されることになる。
【００９９】
そして、「かなり明るい曲」を示す曖昧選択情報に対応する選択条件には、例えば、図４において、「コードの変化率」、「ビートの変化量」、「ビートの最大値」及び「楽音の平均強度」の全てのが「高」であることが規定され、「若干明るい曲」を示す曖昧選択情報に対応する選択条件には、「コードの変化率」、「ビートの変化量」、「ビートの最大値」及び「楽音の平均強度」の全てのが「中」であることが規定される。また、この場合、変更情報（例えば、「もっと明るい曲」）が入力されると、複数選択の場合と同様、選択条件が変更されるように構成してもよいが、別の例として、選択条件を変更せずに、曖昧選択情報のレベルを上げ（又は下げ）、上がった（又は下がった）レベルの曖昧選択情報に対応する選択条件に基づいて、楽曲データの選択をやり直すように構成しても良い。更に、選択された楽曲データが再生出力されている場合に、ユーザが操作ボタン等の入力手段を通じて、「この曲中心に」を示す曖昧選択情報を入力したとき、当該楽曲データの楽曲特徴量と近い（各楽曲特徴量の差が所定値以下である）楽曲データを所定数（例えば、１０曲）選択するように構成しても良い。
【０１００】
また、上記実施形態においては、ユーザに対して提示される提示データの一例として楽曲データに適用した場合について説明したが、これに限定されるものではなく、例えば、映画や番組等のコンテンツデータに対して適用するようにしても良い。この場合の曖昧選択情報の具体例としては、例えば、「アクション」、「ＳＦ」、「バラエティ」、「コメディ」、「ラブストーリー」等のジャンルが挙げられる（曖昧情報としては上記実施形態と同様）。
【０１０１】
また、本願の情報再生記録装置１は、車載用、家庭用、又は携帯用のオーディオ機器ばかりでなく、パーソナルコンピュータ、ＰＤＡ等に対しても適用でき、更には車載用ナビゲーション装置に対しても適用可能である。
【０１０２】
なお、本発明は、上記実施形態に限定されるものではない。上記実施形態は、例示であり、本発明の請求の範囲に記載された技術的思想と実質的に同一な構成を有し、同様な作用効果を奏するものは、いかなるものであっても本発明の技術的範囲に包含される。
【０１０３】
また、２００５年１月２１日に出願された明細書、特許請求の範囲、図面、要約を含む日本の特許出願（No. 2005-14448）の全ての開示は、その全てを参照することよって、ここに組み込まれる。
【図１】
0004475597.tif 000002
【図２】
0004475597.tif 000003
【図３】
0004475597.tif 000004
【図４】
0004475597.tif 000005
【図５】
0004475597.tif 000006